(57)【要約】【課題】磁気カードリーダライタ若しくはＩＣカードリーダライタ等の別途設置スペースを不要にしてスペースの有効利用を可能にした紙葉類処理装置および方法を提供する。【解決手段】紙葉類が識別部１４に搬送されると、識別部１４は紙葉類を識別し、識別部１４が紙葉類をＩＣシートであると識別した場合、ＩＣシートが保留部１５に搬送されると、アンテナ１６はＩＣシートのＩＣチップにアクセスし、ＩＣチップ内の金額情報若しくはポイント情報を読み出し、読み出した金額情報若しくはポイント情報はアンテナ制御部１７、制御部９を介して自動販売機の主制御装置２に入力される。そして、商品の販売により変更された金額情報若しくはポイント情報を制御部９、アンテナ制御部１７を介してアンテナ１６に入力され、アンテナ１６は金額情報若しくはポイント情報をＩＣシートのＩＣチップ内に書き込み、ＩＣシートを返却する。【選択図】図２
2005099915.tif 000002
【特許請求の範囲】
【請求項１】
自動販売機に挿入された紙幣およびＩＣを内蔵したＩＣシートを含む紙葉類の処理を行う紙葉類処理装置であって、
前記ＩＣシートが有する特徴に基づき、該ＩＣシートを識別する識別手段と、
前記識別手段によりＩＣシートと識別された場合、前記ＩＣシートに対して情報の読み取り若しくは書き込みの処理を行う情報読取書込み手段と、
前記情報読取書込み手段が読み取った情報の内容を解析する情報解析手段と、
前記情報解析手段で解析した情報の内容に基づき、該情報の処理を行う情報処理手段と
を具備することを特徴とする紙葉類処理装置。
【請求項２】
前記識別手段は、
前記自動販売機に挿入された紙葉類の特徴を取得する特徴取得手段
を具備し、
前記特徴取得手段で取得した特徴に基づき、前記紙葉類が前記紙幣であるか前記ＩＣシートであるかを識別する
ことを特徴とする請求項１記載の紙葉類処理装置。
【請求項３】
前記特徴取得手段は、
前記自動販売機に挿入された紙葉類の表面の画像を取得する光学的センサであり、
前記識別手段は、
前記光学的センサで取得した紙葉類の表面の画像に前記ＩＣシートが有する特徴模様が存在するか否か解析し、
前記画像に前記特徴模様が存在する場合、前記ＩＣシートであると識別し、
前記画像に前記特徴模様が存在しない場合、前記紙幣であると識別し、該画像に基づいて該紙幣の金種を識別する
ことを特徴とする請求項２記載の紙葉類処理装置。
【請求項４】
前記自動販売機に挿入されたＩＣシートを保留する保留手段
を更に具備し、
前記保留手段には前記情報読取書込み手段が配置され、
前記情報読取書込み手段は、
前記保留手段に保留されているＩＣシートに対して情報の読み取り若しくは書き込みの処理を行う
ことを特徴とする請求項１記載の紙葉類処理装置。
【請求項５】
前記情報解析手段は、
前記ＩＣシートから読み出した情報が、商品の販売に用いられる対価情報であるか、商品の販売促進に用いられるポイント情報であるかを解析し、
前記情報処理手段は、
前記情報解析手段により対価情報であると解析された場合、該対価情報を前記自動販売機に送信し、
前記情報解析手段によりポイント情報であると解析された場合、該ポイント情報を前記自動販売機に送信する
ことを特徴とする請求項１記載の紙葉類処理装置。
【請求項６】
前記情報読取書込み手段は、
前記自動販売機により実行された商品の販売の後の対価情報を前記ＩＣシートに書き込み、
前記自動販売機により実行された商品の販売の後のポイント情報を前記ＩＣシートに書き込む
ことを特徴とする請求項５記載の紙葉類処理装置。
【請求項７】
自動販売機に挿入された紙幣およびＩＣを内蔵したＩＣシートを含む紙葉類の処理を行う紙葉類処理方法であって、
前記ＩＣシートが有する特徴に基づき、該ＩＣシートを識別し、
前記識別の結果がＩＣシートである場合、前記ＩＣシートに記憶保持された情報を読み取り、
該読み取った情報の内容を解析し、
該解析した情報の内容に基づき、該情報の処理を行い、
該処理した情報を前記ＩＣシートに書き込む
ことを特徴とする紙葉類処理方法。
【請求項８】
前記識別は、
前記自動販売機に挿入された紙葉類の特徴を取得し、
該取得した特徴に基づき、前記紙葉類が前記紙幣であるか前記ＩＣシートであるかを識別する
ことを特徴とする請求項７記載の紙葉類処理方法。
【請求項９】
前記識別は、
前記自動販売機に挿入された紙葉類の表面の画像を光学的センサが取得し、
該取得した紙葉類の表面の画像に前記ＩＣシートが有する特徴模様が存在するか否か解析し、
前記画像に前記特徴模様が存在する場合、前記ＩＣシートであると識別し、
前記画像に前記特徴模様が存在しない場合、前記紙幣であると識別し、該画像に基づいて該紙幣の金種を識別する
ことを特徴とする請求項８記載の紙葉類処理方法。
【請求項１０】
前記自動販売機に挿入されたＩＣシートを保留し、
該保留されているＩＣシートに対して情報の読み取り若しくは書き込みの処理を行う
ことを特徴とする請求項７記載の紙葉類処理方法。
【請求項１１】
前記情報の解析は、
前記ＩＣシートから読み出した情報が、商品の販売に用いられる対価情報であるか、商品の販売促進に用いられるポイント情報であるかを解析し、
前記解析により対価情報であると解析された場合、該対価情報を前記自動販売機に送信し、
前記解析によりポイント情報であると解析された場合、該ポイント情報を前記自動販売機に送信する
ことを特徴とする請求項７記載の紙葉類処理方法。
【請求項１２】
前記自動販売機により実行された商品の販売の後の対価情報を前記ＩＣシートに書き込み、
前記自動販売機により実行された商品の販売の後のポイント情報を前記ＩＣシートに書き込む
ことを特徴とする請求項１１記載の紙葉類処理方法。
【発明の詳細な説明】
【技術分野】
【０００１】
本発明は、紙葉類処理装置および方法に関し、特に、シート状のものにＩＣを内蔵したＩＣシートを用いて商品の販売若しくは商品の販売促進のためのポイント収集を行うことができるようにした紙葉類処理装置および方法に関する。
【背景技術】
【０００２】
一般に、自動販売機においては、硬貨若しくは紙幣の投入により所望の商品等を購入することができるように構成されているが、最近は硬貨若しくは紙幣に代えて磁気カード若しくはＩＣカード等を用いて商品の販売を可能にした構成も提案されている。
【０００３】
また、この種の自動販売機においては、商品の販売促進のために、商品の販売毎に所定のポイント情報を発行し、ユーザはこの発行されたポイント情報を収集することにより、この収集したポイント情報に対応して所定のサービスを提供するシステムが提案されており、このようなシステムにおいては、このポイント情報の発行および収集に磁気カード若しくはＩＣカード等を導入する構成も提案されている。
【０００４】
例えば、ＩＣカードを用いたポイントシステムにおいて、店頭でのリアルタイムな顧客情報分析を可能にし、個々の顧客の利用状況・傾向を分析した結果を、タイミング良くリアルタイムで提供するＩＣカード、顧客情報分析システムおよび顧客情報分析結果提供方法がある（例えば、特許文献１参照。）。
【特許文献１】特開２００３−１３２４３１号公報
【発明の開示】
【発明が解決しようとする課題】
【０００５】
しかし、硬貨若しくは紙幣に代えて商品を販売可能にするために若しくは商品の販売促進のためのポイント情報の発行、収集のために磁気カード若しくはＩＣカード等を導入する場合は、自動販売機に専用の磁気カードリーダライタ若しくはＩＣカードリーダライタを設ける必要があり、このためにこれら磁気カードリーダライタ若しくはＩＣカードリーダライタの設置スペースが別途必要になるという問題があった。
【０００６】
そこで、本発明は、磁気カードリーダライタ若しくはＩＣカードリーダライタ等の別途設置スペースを不要にしてスペースの有効利用を可能にした紙葉類処理装置および方法を提供することを目的とする。
【課題を解決するための手段】
【０００７】
上記目的を達成するため、請求項１の発明は、自動販売機に挿入された紙幣およびＩＣを内蔵したＩＣシートを含む紙葉類の処理を行う紙葉類処理装置であって、前記ＩＣシートが有する特徴に基づき、該ＩＣシートを識別する識別手段と、前記識別手段によりＩＣシートと識別された場合、前記ＩＣシートに対して情報の読み取り若しくは書き込みの処理を行う情報読取書込み手段と、前記情報読取書込み手段が読み取った情報の内容を解析する情報解析手段と、前記情報解析手段で解析した情報の内容に基づき、該情報の処理を行う情報処理手段とを具備することを特徴とする。
【０００８】
なお、識別手段は図２に示す識別部に対応し、情報読取書込み手段は図２に示すアンテナに対応し、情報解析手段は図２に示すアンテナ制御部に対応し、情報処理手段は図２に示す制御部に対応する。
【０００９】
また、請求項２の発明は、請求項１の発明において、前記識別手段は、前記自動販売機に挿入された紙葉類の特徴を取得する特徴取得手段を具備し、前記特徴取得手段で取得した特徴に基づき、前記紙葉類が前記紙幣であるか前記ＩＣシートであるかを識別することを特徴とする。
【００１０】
なお、特徴取得手段は識別部が有する磁気的センサまたは光学的センサ等である。
【００１１】
また、請求項３の発明は、請求項２において、前記特徴取得手段は、前記自動販売機に挿入された紙葉類の表面の画像を取得する光学的センサであり、前記識別手段は、前記光学的センサで取得した紙葉類の表面の画像に前記ＩＣシートが有する特徴模様が存在するか否か解析し、前記画像に前記特徴模様が存在する場合、前記ＩＣシートであると識別し、前記画像に前記特徴模様が存在しない場合、前記紙幣であると識別し、該画像に基づいて該紙幣の金種を識別することを特徴とする。
【００１２】
また、請求項４の発明は、請求項１の発明において、前記自動販売機に挿入されたＩＣシートを保留する保留手段を更に具備し、前記保留手段には前記情報読取書込み手段が配置され、前記情報読取書込み手段は、前記保留手段に保留されているＩＣシートに対して情報の読み取り若しくは書き込みの処理を行うことを特徴とする。
【００１３】
なお、保留手段は図２に示す保留部に対応する。
【００１４】
また、請求項５の発明は、請求項１の発明において、前記情報解析手段は、前記ＩＣシートから読み出した情報が、商品の販売に用いられる対価情報であるか、商品の販売促進に用いられるポイント情報であるかを解析し、前記情報処理手段は、前記情報解析手段により対価情報であると解析された場合、該対価情報を前記自動販売機に送信し、前記情報解析手段によりポイント情報であると解析された場合、該ポイント情報を前記自動販売機に送信することを特徴とする。
【００１５】
また、請求項６の発明は、請求項５の発明において、前記情報読取書込み手段は、前記自動販売機により実行された商品の販売の後の対価情報を前記ＩＣシートに書き込み、前記自動販売機により実行された商品の販売の後のポイント情報を前記ＩＣシートに書き込むことを特徴とする。
【００１６】
また、請求項７の発明は、自動販売機に挿入された紙幣およびＩＣを内蔵したＩＣシートを含む紙葉類の処理を行う紙葉類処理方法であって、前記ＩＣシートが有する特徴に基づき、該ＩＣシートを識別し、前記識別の結果がＩＣシートである場合、前記ＩＣシートに記憶保持された情報を読み取り、該読み取った情報の内容を解析し、該解析した情報の内容に基づき、該情報の処理を行い、該処理した情報を前記ＩＣシートに書き込むことを特徴とする。
【００１７】
また、請求項８の発明は、請求項７の発明において、前記識別は、前記自動販売機に挿入された紙葉類の特徴を取得し、該取得した特徴に基づき、前記紙葉類が前記紙幣であるか前記ＩＣシートであるかを識別することを特徴とする。
【００１８】
また、請求項９の発明は、請求項８の発明において、前記識別は、前記自動販売機に挿入された紙葉類の表面の画像を光学的センサが取得し、該取得した紙葉類の表面の画像に前記ＩＣシートが有する特徴模様が存在するか否か解析し、前記画像に前記特徴模様が存在する場合、前記ＩＣシートであると識別し、前記画像に前記特徴模様が存在しない場合、前記紙幣であると識別し、該画像に基づいて該紙幣の金種を識別することを特徴とする。
【００１９】
また、請求項１０の発明は、請求項７の発明において、前記自動販売機に挿入されたＩＣシートを保留し、該保留されているＩＣシートに対して情報の読み取り若しくは書き込みの処理を行うことを特徴とする。
【００２０】
また、請求項１１の発明は、請求項７の発明において、前記情報の解析は、前記ＩＣシートから読み出した情報が、商品の販売に用いられる対価情報であるか、商品の販売促進に用いられるポイント情報であるかを解析し、前記解析により対価情報であると解析された場合、該対価情報を前記自動販売機に送信し、前記解析によりポイント情報であると解析された場合、該ポイント情報を前記自動販売機に送信することを特徴とする。
【００２１】
また、請求項１２の発明は、請求項１１の発明において、前記自動販売機により実行された商品の販売の後の対価情報を前記ＩＣシートに書き込み、前記自動販売機により実行された商品の販売の後のポイント情報を前記ＩＣシートに書き込むことを特徴とする。
【発明の効果】
【００２２】
本発明によれば、シート状のものにＩＣを内蔵したＩＣシートを採用することで、磁気カードリーダライタ若しくはＩＣカードリーダライタ等の別途設置スペースを不要にし、ＩＣシートを使用するポイントシステムおよびプリペイド方式決算システムを容易に適用することを可能にするという効果を奏する。
【発明を実施するための最良の形態】
【００２３】
以下、本発明に係わる紙葉類処理装置および方法の実施の形態について添付図面を参照して詳細に説明する。なお、本発明に係わる紙葉類処理装置が自動販売機に組み込まれている構成を実施例として説明する。また、実施例では、シート状のものにＩＣが内蔵され、紙幣と類似した形状で、幅寸法および厚さは紙幣とほぼ同等であるが、長さについては紙幣の長さに関与せず任意の長さであるものをＩＣシートとして説明するが、形状等については特に限定しない。
【００２４】
図１は、自動販売機１の構成の一例を示すブロック図である。
【００２５】
図１に示すように、自動販売機１は、自動販売機の主制御装置２、硬貨処理装置３、紙葉類処理装置４、商品払出制御装置５、パネル表示装置６、キー入力装置７から構成されている。
【００２６】
ここで、自動販売機の主制御装置２は、自動販売機１全体の制御および処理等を行うとともに、シリアル通信バス８を介して接続された硬貨処理装置３、紙葉類処理装置４、商品払出制御装置５、パネル表示装置６、キー入力装置７を制御する。また、紙葉類処理装置４に挿入された紙幣またはＩＣシートの金額情報、および硬貨処理装置３に投入された硬貨の金額情報を入力し、入力した金額情報と商品の販売価格とを比較して、商品払出制御装置５に商品の払出指示を出力する。
【００２７】
また、硬貨処理装置３は、投入された硬貨を識別し、材質および形状等に基づいて正偽および金種を識別し、硬貨の金額情報を算出し、算出した金額情報を自動販売機の主制御装置２に出力するとともに、収金等の硬貨処理を行う。
【００２８】
また、紙葉類処理装置４は、挿入された紙幣およびＩＣシートを識別し、紙幣であると識別した場合、紙幣の印刷模様等に基づいて正偽および金種を識別し、紙幣の金額を演算し、算出した金額情報を自動販売機の主制御装置２に出力するとともに、収金等の紙幣処理を行い、また、ＩＣシートであると識別した場合、ＩＣシートに記憶保持された金額情報またはポイント情報を読み出し、読み出した金額情報またはポイント情報を自動販売機の主制御装置２に出力し、自動販売機の主制御装置２から入力した金額情報またはポイント情報をＩＣシートに書き込む。
【００２９】
また、商品払出制御装置５は、自動販売機の主制御装置２からの指示に基づいて商品の搬送および払い出し等の制御を行う。
【００３０】
また、パネル表示装置６は、商品展示用パネルディスプレイの表示等を制御する。
【００３１】
また、キー入力装置７は、自動販売機１の各種設定を入力するためのキー等である。
【００３２】
図２は、紙葉類処理装置４の機能的な構成の一例を示すブロック図である。
【００３３】
図２に示すように、紙葉類処理装置４は、紙葉類処理装置４全体の制御を行う制御部９、紙葉類の挿入口である紙葉類挿入部１０、紙葉類を搬送する紙葉類搬送部１１、紙葉類を受け入れる紙葉類受入部１２、制御部からの制御により紙葉類搬送部を駆動させる駆動部１３、識別部１４、保留部１５、アンテナ１６、アンテナ制御部１７から構成されている。
【００３４】
ここで、識別部１４は、紙葉類挿入部１０から挿入された紙葉類が紙幣であるかＩＣシートであるかを識別し、識別結果を制御部９に出力し、更に、識別結果が紙幣である場合、その紙幣の金種も判定し、判定した金種を制御部９に出力する。なお、ＩＣシートには、識別部１４がＩＣシートであることを識別できる模様（例えば、印刷、透かし等）が設けられ、識別部１４はその模様を識別することができるセンサとして磁気センサまたは光学センサ等を有している。
【００３５】
また、保留部１５は、紙葉類挿入部１０から挿入された紙葉類を保留する。
【００３６】
また、アンテナ１６は、保留部１５に配置され、保留部１５に到達したＩＣシートに対して非接触で、ＩＣシートに埋設されたＩＣチップにアクセスし、ＩＣチップ内に予め記憶されている金額情報若しくはポイント情報を読み出し、読み出した金額情報若しくはポイント情報をアンテナ制御部１７に出力し、商品の販売等により変更された金額情報若しくはポイント情報をアンテナ制御部１７から入力すると、入力した金額情報若しくはポイント情報をＩＣチップ内に書き込む処理を行う。
【００３７】
また、アンテナ制御部１７は、ＩＣシートが保留部１５に到達すると、アンテナ１６に対してＩＣチップへの読み出し処理を行わせ、アンテナ１６が読み出した金額情報若しくはポイント情報を入力すると、入力した情報の種類を確認し、金額情報若しくはポイント情報と確認した情報の種類とを制御部９に出力し、商品の販売等により変更された金額情報若しくはポイント情報を制御部９から入力すると、入力した金額情報若しくはポイント情報をアンテナ１６に出力し、アンテナ１６に対してＩＣチップへの書き込み処理を行わせる。
【００３８】
次に、挿入された紙葉類を処理する際に、紙葉類処理装置４が行う機能的な動作について説明する。
【００３９】
紙葉類が紙葉類挿入部１０から挿入されると、制御部９は駆動部１３を制御することで紙葉類搬送部１１により紙葉類を搬送し、紙葉類が識別部１４に搬送されると、識別部１４は光学センサにより紙葉類を撮像して紙葉類の画像データを取得し、取得した紙葉類の画像データに基づいて紙葉類が紙幣であるかＩＣシートであるかを識別し、識別結果を制御部９に出力する。なお、識別する際に、識別部１４は紙葉類の画像データからＩＣシートである旨を示す模様（例えば、印刷、透かし等）を確認し、その模様が確認された場合、紙葉類がＩＣシートであることを制御部９に出力し、また、その模様が確認されなかった場合、その紙葉類の画像データに基づいて紙葉類の金種を識別し、紙葉類が紙幣であることと紙幣の金種とを制御部９に出力し、制御部９は駆動部１３を制御することで紙幣を紙葉類受入部１２に搬送し、紙幣を受け入れる。また、識別部１４は磁気センサにより紙葉類の磁気的出力データを取得し、取得した紙葉類の磁気的出力データに基づいて紙葉類が紙幣であるかＩＣシートであるかを識別する構成も適用可能である。また、ＩＣシートである旨を示す模様に、ＩＣチップ内に記憶されている情報の種類を示させる構成でも適用可能である。
【００４０】
識別部１４が紙葉類をＩＣシートであると識別した場合、ＩＣシートが保留部１５に搬送されると、制御部９は駆動部１３を制御することでＩＣシートの搬送を一時停止し、アンテナ１６はＩＣシートに埋設されたＩＣチップにアクセスし、ＩＣチップ内に予め記憶されている情報を読み出し、読み出した情報をアンテナ制御部１７に出力し、アンテナ制御部１７は情報を入力すると、入力した情報の種類を確認し、その情報が金額情報であると確認した場合、アンテナ制御部１７は金額情報と金額情報である旨とを制御部９に出力し、また、その情報がポイント情報であると確認した場合、アンテナ制御部１７はポイント情報とポイント情報である旨とを制御部９に出力する。
【００４１】
制御部９が金額情報と金額情報である旨とを入力した場合、制御部９は入力した金額情報を自動販売機の主制御装置２に出力し、自動販売機の主制御装置２は金額情報を入力すると、入力した金額情報に基づいて商品の販売等を行い、商品の販売等に使用された金額を金額情報から減算し、減算した金額情報を制御部９に出力し、制御部９は金額情報を入力すると、入力した金額情報をアンテナ制御部１７に出力し、アンテナ制御部１７は金額情報を入力すると、入力した金額情報をアンテナ１６に出力し、アンテナ１６は金額情報を入力すると、入力した金額情報をＩＣシートのＩＣチップ内に書き込み、ＩＣチップ内への書き込みが終了すると、制御部９は駆動部１３を制御することでＩＣシートを紙葉類挿入部１０に搬送し、ＩＣシートを返却する。なお、減算した金額情報が０円の場合でも、０円の金額情報をＩＣチップ内に書き込む。
【００４２】
制御部９がポイント情報とポイント情報である旨とを入力した場合、制御部９は入力したポイント情報を自動販売機の主制御装置２に出力し、自動販売機の主制御装置２はポイント情報を入力する。
【００４３】
ここで、ユーザから、そのポイント情報を使用して商品を購入する指示があると、入力したポイント情報に基づいて商品の販売等を行い、自動販売機の主制御装置２は商品の販売等に使用されたポイントをポイント情報から減算し、減算したポイント情報を制御部９に出力する。また、ユーザから、商品は現金で購入し、その際に発生したポイントを貯める指示があると、自動販売機の主制御装置２は商品の販売等の際に発生したポイントをポイント情報に加算し、加算したポイント情報を制御部９に出力する。なお、ＩＣシートの模様によりポイントを使用する指示、若しくはポイントを貯める指示を識別させる構成も可能である。
【００４４】
そして、制御部９はポイント情報を入力すると、入力したポイント情報をアンテナ制御部１７に出力し、アンテナ制御部１７はポイント情報を入力すると、入力したポイント情報をアンテナ１６に出力し、アンテナ１６はポイント情報を入力すると、入力したポイント情報をＩＣシートのＩＣチップ内に書き込み、ＩＣチップ内への書き込みが終了すると、制御部９は駆動部１３を制御することでＩＣシートを紙葉類挿入部１０に搬送し、ＩＣシートを返却する。なお、減算したポイント情報がポイント数０の場合でも、ポイント数０のポイント情報をＩＣチップ内に書き込む。
【００４５】
次に、ＩＣシートを処理する際に紙葉類処理装置４が行う処理手順について図３に示すフローチャートを参照して説明する。
【００４６】
紙葉類が挿入され（ステップＳ３０１）、紙葉類を識別する（ステップＳ３０２）。
【００４７】
ＩＣシートであると識別された場合（ステップＳ３０３でＹＥＳ）、ＩＣシートの情報を読み出す（ステップＳ３０４）。
【００４８】
読み出した情報が金額情報である場合（ステップＳ３０５でＹＥＳ）、金額情報に基づいて商品の販売を行い（ステップＳ３０６）、商品の販売に使用された金額を金額情報から減算し（ステップＳ３０７）、減算した金額情報をＩＣシートに書き込み（ステップＳ３０８）、ＩＣシートを返却し（ステップＳ３０９）、処理手順を終了する。
【００４９】
また、ステップＳ３０５において、読み出した情報がポイント情報である場合（ステップＳ３０５でＮＯ）、ポイント情報の処理を行い（ステップＳ３１０）、処理が終了すると、ＩＣシートを返却し（ステップＳ３０９）、処理手順を終了する。
【００５０】
なお、ステップ３１０によるポイント情報の処理については後述にて詳細に説明する。
【００５１】
また、ステップＳ３０３において、紙幣であると識別された場合（ステップＳ３０３でＮＯ）、通常の紙幣受入処理を行い（ステップＳ３１１）、処理手順を終了する。
【００５２】
次に、図３に示すフローチャートにおけるステップＳ３１０によるポイント情報の処理について図４に示すフローチャートを参照して説明する。
【００５３】
図３に示すフローチャートにおけるステップＳ３０５において、読み出した情報がポイント情報である場合（ステップＳ３０５でＮＯ）、ポイント情報の処理が開始する。
【００５４】
ポイント使用が指示されている場合（ステップＳ４０１でＹＥＳ）、ポイント情報に基づいて商品の販売を行い（ステップＳ４０２）、商品の販売に使用されたポイントをポイント情報から減算し（ステップＳ４０３）、減算したポイント情報をＩＣシートに書き込み（ステップＳ４０４）、図３に示すフローチャートにおけるステップＳ３０９に進む。
【００５５】
また、ステップＳ４０１において、ポイントを貯める指示がされている場合（ステップＳ４０１でＮＯ）、投入された現金に基づいて商品の販売を行い（ステップＳ４０５）、商品の販売により発生したポイントをポイント情報に加算し（ステップＳ４０６）、加算したポイント情報をＩＣシートに書き込み（ステップＳ４０７）、図３に示すフローチャートにおけるステップＳ３０９に進む。
【００５６】
なお、上記実施例では、識別部１４が紙葉類の画像データからＩＣシートである旨を示す模様を確認することで、紙葉類がＩＣシートであるか紙幣であるかを識別し、アンテナ制御部１７がＩＣシートから読み出した情報の種類を確認する構成を説明してきたが、識別部１４が紙葉類の画像データからＩＣシートである旨を示す模様を確認することで、紙葉類がＩＣシートであるか紙幣であるかを識別するとともに、ＩＣシートである旨を示す模様を確認できた場合はその模様を識別することで、ＩＣシートに記憶保持されている情報が金額情報であるかポイント情報であるかを識別する構成も適用可能である。
【００５７】
なお、上記実施例では、識別部９が挿入された紙葉類が紙幣であるかＩＣシートであるかを識別する構成について説明してきたが、識別部９を設けず、アンテナ１６がＩＣチップにアクセスできるか否かにより、紙葉類が紙幣であるかＩＣシートであるかを識別する構成でも適用可能である。
【００５８】
また、上記実施例では、ＩＣシートに対するアンテナ１６の制御、およびＩＣシートから読み出した情報の種類の確認等を行うアンテナ制御部１７を紙葉類処理装置４に内蔵する構成について説明してきたが、アンテナ制御部１７を紙葉類処理装置４から独立する構成でも適用可能である。
【図面の簡単な説明】
【００５９】
【図１】自動販売機の構成の一例を示すブロック図である。
【図２】紙葉類処理装置４の機能的な構成の一例を示すブロック図である。
【図３】ＩＣシートを処理する際に紙葉類処理装置４が行う処理手順について図３に示すフローチャートを参照して説明する。
【図４】図３に示すフローチャートにおけるステップＳ３１０によるポイント情報の処理について図４に示すフローチャートを参照して説明する。
【符号の説明】
【００６０】
１    自動販売機
２    自動販売機の主制御装置
３    硬貨処理装置
４    紙葉類処理装置
５    商品払出制御装置
６    パネル表示装置
７    キー入力装置
８    シリアル通信バス
９    制御部
１０    紙葉類挿入部
１１    紙葉類搬送部
１２    紙葉類受入部
１３    駆動部
１４    識別部
１５    保留部
１６    アンテナ
１７    アンテナ制御部
【図１】
2005099915.tif 000003
【図２】
2005099915.tif 000004
【図３】
2005099915.tif 000005
【図４】
2005099915.tif 000006